(57)【要約】【課題】蓋部分が開いたままの状態を保持できる、蓋部分が自立可能な紙箱を提供すること。【解決手段】天板（１４）に切り込み線（ａ）によって形成され、天板の後端縁近傍に設けられた折り曲げ線（ｂ）を折り曲げ軸として開閉する蓋部分（１４３）が形成された紙箱（１）において、蓋部分の折り曲げ線寄りの両隅角には、折り曲げ線より後方に突出し、かつ、切り込み線より外方に突出する蓋舌片（１４４、１４５）が形成され、蓋舌片の下面には蓋舌片と重なり合う固定片（１１３、１１４）が設けられている。【選択図】図２
2008087773.tif 000002
【特許請求の範囲】
【請求項１】
天板に切り込み線により形成され、天板の後端縁近傍に設けられた折り曲げ線を起点として開閉する蓋部分が形成された紙箱において、
前記蓋部分の折り曲げ線寄りの両隅角には、折り曲げ線より後方に突出すると共に、切り込み線より外方に突出する蓋舌片が形成され、該蓋舌片の下面には蓋舌片と重なり合う固定片が設けられてなり、蓋部分を開封する際に、蓋舌片が固定片により係止されて起立状態が保持されることを特徴とする紙箱。
【請求項２】
前記固定片の蓋舌片と重なり合う部分には、前記折り曲げ線と平行な係止線が複数本形成されており、蓋部分を開封する際には蓋舌片が係止線に嵌ることを特徴とする請求項１記載の紙箱。
【請求項３】
前記固定片は、蓋部分に重ならないように形成されていることを特徴とする請求項1又は２記載の紙箱。
【請求項４】
前記係止線は、全切れ線、ミシン目線、罫線のいずれかからなることを特徴とする請求項２又は３記載の紙箱。
【発明の詳細な説明】
【技術分野】
【０００１】
本発明は、菓子、キッチンペーパー等を収容する蓋付きの紙箱に関するものであり、特には、蓋部分に自立機能を持たせた紙箱に関する。
【背景技術】
【０００２】
従来、図６（ａ）、（ｂ）に示すように、上壁（５０）から前壁（５１）にかけて、切り込みにより後端縁の折り目線（５２）を折り曲げ軸として起伏する蓋（５３）を形成した紙箱が知られている。この紙箱から内容物を取り出す際には、折り目線（５２）を軸として蓋（５３）を引き起こすことにより開放する。
【０００３】
しかしながら、このような紙箱では、蓋（５３）はその自重により自然に閉じてしまうため、内容物を繰り返して取り出すような場合、蓋（５３）を手で支えていなければならなかった。
【０００４】
この蓋が自重により自然に閉じてしまうという問題を解決するため、種々の検討がなされている。その一つの方法は、例えば、図７（ａ）、（ｂ）に示すような、蓋部分（６０）の折り曲げ線（ｇ）上に爪部分（６１）を設ける方法である（特許文献１参照）。
【０００５】
上記先行技術文献を示す。
【特許文献１】特開平１１−３２１８５５号公報。
【０００６】
しかしこの方法は、何回か繰り返し使用しているうちに爪部分（６１）がへたってしまい効果が薄れてくる。開き角度が一定で、開き角度を変えることができない。などの問題がある。
【発明の開示】
【発明が解決しようとする課題】
【０００７】
本発明は、前面から上面にかけてミシン目等の切り込み線により区画された蓋部分を開封して持ち上げる開け方の紙箱に関する以上のような問題に鑑みてなされたもので、蓋部分が開いたままの状態を保持できる、蓋部分が自立可能な紙箱を提供することを課題とする。
【課題を解決するための手段】
【０００８】
本発明の請求項１の発明は、天板に切り込み線により形成され、天板の後端縁近傍に設けられた折り曲げ線を起点として開閉する蓋部分が形成された紙箱において、前記蓋部分の折り曲げ線寄りの両隅角には、折り曲げ線より後方に突出すると共に、切り込み線より外方に突出する蓋舌片が形成され、該蓋舌片の下面には蓋舌片と重なり合う固定片が設けられてなり、蓋部分を開封する際に、蓋舌片が固定片により係止されて起立状態が保持されることを特徴とする紙箱である。
【０００９】
このように請求項１記載の発明によれば、蓋部分の折り曲げ線寄りの両隅角には、折り曲げ線より後方に突出すると共に、切り込み線より外方に突出する蓋舌片が形成され、該蓋舌片の下面には蓋舌片と重なり合う固定片が２箇所設けられているので、蓋部分の折り曲げ軸の根元の強度が強くなり、蓋舌片がへたることがなく、蓋部分を繰り返し開閉しても使用に耐えることができる。
【００１０】
また、請求項２の発明は、請求項１の発明において、前記固定片の蓋舌片と重なり合う部分には、前記折り曲げ線と平行な係止線が複数本形成されており、蓋部分を開封する際には蓋舌片が係止線に嵌ることを特徴とする紙箱である。
【００１１】
このように請求項２の発明によれば、固定片の蓋舌片と重なり合う部分には、前記折り曲げ線と平行な係止線が複数本形成されているので、蓋部分を開くと、固定片の反発力で蓋舌片の切断縁が係止線にあたり、係止線に嵌って蓋部分がしっかり固定され蓋部分が戻ることがない。また、蓋舌片が複数本形成されている係止線の嵌る場所によって、蓋部分の開封時の起立角度を自由に変えることができる。さらに、蓋舌片の切断縁が係止線に接触する際には音が出るので、蓋舌片が固定片にあたっていることを音で確認することもできる。
【００１２】
また、請求項３の発明は、請求項1又は２の発明において、前期固定片は、蓋部分に重ならないように形成されていることを特徴とする紙箱である。
【００１３】
このように請求項３の発明によれば、固定片は蓋部分に重ならないように形成されているので、蓋部分を剥がして紙箱を開封した際に、固定片が紙箱の開口部分から飛び出すことがなく、見栄えが良い。
【００１４】
また、請求項４の発明は、請求項２又は３の発明において、前記係止線は、全切れ線、ミシン目線、罫線のいずれかからなることを特徴とする紙箱である。
【発明の効果】
【００１５】
このように本発明の紙箱によれば、蓋部分の開放に伴い固定片が蓋舌片により押し下げられ、固定片の復元力によって蓋部分は後傾方向に付勢され、この付勢力が折り曲げ線において作用する閉鎖方向の力と均衡し、蓋部分の起立状態が保持されるので、内容物を繰り返し取り出すような場合にも蓋部分を手で支えておく必要がない。
【００１６】
また、固定片の蓋舌片の先端部分が接触する個所に、蓋舌片の先端部分と平行な係止線を複数本形成しておくことにより、固定片の復元力での蓋舌片の先端部分は係止線に嵌って蓋舌片は固定され、従って蓋部分の起立状態はしっかりと保持される。さらに蓋舌片の先端部分と係止線の嵌る位置を変えることにより、蓋部分の起立保持角度を自在に変えることができる。
【００１７】
ブランクをスリーブ状に貼着して納入することが可能なため、従来技術で簡単に製函作業ができ、機械適性がよい。
【発明を実施するための最良の形態】
【００１８】
本発明を一実施形態に基づいて以下に詳細に説明する。
本発明の紙箱は、例えば、図１、図２に示すような天板（１４）に切り込み線（ａ）により形成され、天板の後端縁近傍に設けられた折り曲げ線（ｂ）を折り曲げ軸として開閉する蓋部分（１４３）が形成された紙箱（１）である。
【００１９】
そして、蓋部分（１４３）の折り曲げ線寄りの両隅角には、折り曲げ線（ｂ）より後方に突出すると共に、切り込み線（ａ）より外方に突出する蓋舌片（１４４、１４５）が形成されている。
【００２０】
また、蓋舌片（１４４、１４５）の下面には蓋舌片と重なり合う固定片（１１３、１１４）が設けられている。
【００２１】
さらに、固定片（１１３、１１４）の、蓋舌片（１４４、１４５）と重なり合う部分、すなわち、蓋部分（１４３）を開閉する際に蓋舌片（１４４、１４５）の先端部分が接触する個所には、折り曲げ線（ｄ）と平行な係止線（ｃ）が複数本形成されている。
【００２２】
なお、係止線（ｃ）は、蓋舌片（１４４、１４５）の切断縁を嵌めたり、保持したりする必要から、全切れ線、ミシン目線、罫線（罫溝）のいずれかであることが望ましい。
【００２３】
本発明の紙箱は以上のような構成からなるが、図３に従ってさらに詳細に説明する。図3は、本発明の紙箱の一実施例を展開したブランクの平面説明図である。
【００２４】
矩形をした底板（１１）の両側にそれぞれ折り曲げ線（ｄ）を介して側板（１２、１３）が連設され、側板（１３）の底板（１１）が連設されていない方の端縁には底板（１１）と対称状に折り曲げ線（ｄ）を介して天板（１４）が連設されている。
【００２５】
天板（１４）の側板（１３）が連設されていない方の端縁に折り曲げ線（ｄ）を介して下垂板（１５）が連設されている。
【００２６】
底板（１１）の左右端にはそれぞれ折り曲げ線を介して底妻板（１１１、１１２）、固定片（１１３、１１４）が順次連設されている。
【００２７】
また、側面板（１２）の左右端には折り曲げ線を介してそれぞれ舌片（１２１、１２２）が連設され、側面板（１３）の左右端には折り曲げ線を介してそれぞれ舌片（１３１、１３２）が連設されている。側面板（１２）の略中央には紙箱に組み立て、使用する際に、後記する係止片（１４７）を差し込むための係止切断線（ｅ）が穿設されている。
【００２８】
天板（１４）の左右端にはそれぞれ折り曲げ線を介して蓋妻板（１４１、１４２）が連設されている。また、天板（１４）から下垂板（１５）にかけて切り込み線（ａ）が略Ｕ字状に形成され、その内側に蓋部分（１４３）が区画されている。
【００２９】
略Ｕ字状に形成された切り込み線（ａ）の先端部と末端部は折り曲げ線（ｄ）と平行な折り曲げ線（ｂ）により結ばれている。蓋部分（１４３）の折り曲げ線（ｂ）側の両隅角は、折り曲げ線（ｂ）より後方に突出し、かつ、切り込み線（ａ）より外方に突出する蓋舌片（１４４、１４５）が形成されている。蓋舌片（１４４、１４５）の隅角で折り曲げ線（ｂ）と切り込み線（ａ）の交点はブランク（１０）を紙箱に組み立てる際の折り曲げ線と平行な９０度となるように形成されている。
【００３０】
蓋部分（１４３）の先端は、組み立てた紙箱から蓋部分（１４３）を下垂板（１５）、天板（１４）から引き剥がす際のつまみ片（１４６）が形成され、つまみ片（１４６）の内側には蓋部分を側面板（１２）に差し込み係止するための係止片（１４７）が形成されている。
【００３１】
固定片（１１３、１１４）の蓋舌片（１４３、１４４）と重なり合う個所には、表面から全切れ線、ミシン目線、罫線（罫溝）のいずれかからなる係止線（ｃ）が複数本一定間隔で折り曲げ線（ｄ）と平行に設けられている。
【００３２】
つぎに、このブランクを図１に示すような紙箱（１）に組み立てる組み立て方法の一例を説明する。側面板（１２）、底板（１１）、側面板（１３）、天面板（１４）、下垂板（１５）を折り曲げ線（ｄ）に沿った折りぐせを付けた後、側面板（１２）を折り曲げ、ついで天板（１４）とそれに連設された下垂板（１５）を折り曲げ、側面板（１２）の上に下垂板（１５）を重ねてブランクをスリーブ状に形成する。なお、側面板（１２）の表
側の両端縁近傍と、下垂板（１５）の裏側の両端近傍とは接着糊等で接着しておく。
【００３３】
スリーブを横置きにして筒状に起こした後、必要に応じて内容物を筒部分に収納し、左右の舌片（１２１、１２２、１３１、１３２）を折り曲げ、左右の固定片（１１３、１１４）と底妻板（１１１、１１２）を折り曲げ、左右の開放端を閉塞し、最後に蓋妻板（１４１、１４２）を折り曲げ、底妻板（１１１、１１２）に重ねる。この時、蓋妻板（１４１、１４２）の裏面と底妻板（１１１、１１２）の表面とは接着糊等で接着されている。この組み立て状態において、固定片（１１３、１１４）は蓋舌片（１４４、１４５）の下方に位置する。
【００３４】
この紙箱（１）を開封するに際しては、図２に示すように、つまみ片（１４６）を持って上方に引き上げると、下垂板（１５）と天板（１４）に形成された切り込み線（ａ）に沿って下垂板（１５）と天板（１４）の内側は剥がれて蓋部分（１４３）が形成され、蓋部分（１４３）は、折り曲げ線（ｂ）を軸として蓋部分（１４３）を引き起こすと、図４、図５に示すように、蓋部分（１４３）と同時に蓋部分の先端に形成された蓋舌片（１４４、１４５）が傾動し、蓋舌片（１４４、１４５）により固定片（１１３、１１４）が押し下げられる。
【００３５】
蓋部分（１４３）が９０度以上開くと、固定片（１１３、１１４）の復元力により蓋部分（１４３）が後傾方向に付勢され、この付勢力が折り曲げ線（ｂ）において作用する閉鎖方向の力と均衡して蓋部分（１４３）に起立状態が保持される。
【００３６】
固定片（１１３、１１４）の蓋舌片（１４４、１４５）と重なり合う部分に、折り曲げ線（ｄ）と平行な係止線（ｃ）を設けておくと、蓋舌片（１４４、１４５）の起立した際の先端縁が固定片（１１３、１１４）の復元力によって係止線（ｃ）にあたり嵌め込まれるなどして、蓋舌片（１４４、１４５）がしっかり固定され、蓋部分（１４３）もしっかり固定される。
【００３７】
蓋蓋舌片（１４４、１４５）を係止線（ｃ）に嵌め込む位置を選択することにより、蓋部分（１４３）の開封時の起立保持角度を自由に設定することができ、都度、係止線をこする音が発生する。
【００３８】
蓋部分（１４３）の閉鎖に際しては、固定片（１１３、１１４）による付勢力に抗して蓋部分（１４３）を前傾させ、係止片（１４７）を係止切断線（ｅ）に差し込めば良い。
【図面の簡単な説明】
【００３９】
【図１】本発明の紙箱の一実施例を示す斜視説明図である。
【図２】図１の紙箱を開けた状態を示す斜視説明図である。
【図３】図１の紙箱を展開した状態を示す平面説明図である。
【図４】本発明の紙箱の作用状態を示す側面から見た縦断面図である。
【図５】本発明の紙箱の作用状態を示す正面から見た縦断面図である。
【図６】従来の紙箱の一例を示す、（ａ）は斜視説明図であり、（ｂ）は蓋開放状態における縦断側面説明図である。
【図７】従来の紙箱の別の一例を示す、（ａ）は斜視説明図であり、（ｂ）は蓋開放状態における斜視説明図である。
【符号の説明】
【００４０】
１‥‥紙箱
１０‥‥ブランク
１１‥‥底板
１２‥‥側板
１３‥‥側板
１４‥‥天板
１５‥‥下垂板
１１１‥‥底妻板
１１２‥‥底妻板
１１３‥‥固定片
１１４‥‥固定片
１２１‥‥舌片
１２２‥‥舌片
１３１‥‥舌片
１３２‥‥舌片
１４１‥‥蓋妻板
１４２‥‥蓋妻板
１４３‥‥蓋部分
１４４‥‥蓋舌片
１４５‥‥蓋舌片
１４６‥‥つまみ片
１４７‥‥係止片
５０‥‥上壁
５１‥‥前壁
５２‥‥折り目線
５３‥‥蓋
６０‥‥蓋部分
６１‥‥爪部分
ａ‥‥切り込み線
ｂ‥‥折り曲げ線
ｃ‥‥係止線
ｄ‥‥折り曲げ線
ｅ‥‥係止切断線
【図１】
2008087773.tif 000003
【図２】
2008087773.tif 000004
【図３】
2008087773.tif 000005
【図４】
2008087773.tif 000006
【図５】
2008087773.tif 000007
【図６】
2008087773.tif 000008
【図７】
2008087773.tif 000009